(57)【要約】      （修正有）【課題】商品搬送中又は商品陳列中においても芳香性物質がカイロ成分に吸収されてしまうことがなく、使用時に有効に芳香して使用者にアロマテラピー効果を及ぼすことができる使い捨てカイロを提供する。【解決手段】使い捨てカイロ本体１１と、使用時に使い捨てカイロ本体に固定される芳香物１２とを備えた使い捨てカイロであって、上記使い捨てカイロ本体はカイロ本体収納袋部１３に収納されると共に上記芳香物は芳香物収納袋部１４に収納され、上記カイロ本体収納袋及び上記芳香物収納袋部は外方袋１５に収納されている。【選択図】図１
0003175240.tif 000002
【実用新案登録請求の範囲】
【請求項１】
使い捨てカイロ本体と、使用時に使い捨てカイロ本体に固定される芳香物とを備えた使い捨てカイロであって、上記使い捨てカイロ本体はカイロ本体収納袋部に収納されると共に上記芳香物は芳香物収納袋部に収納され、上記カイロ本体収納袋及び上記芳香物収納袋部は外方袋に収納されていることを特徴とする使い捨てカイロ。
【請求項２】
上記使い捨てカイロ本体及び上記芳香物は薄板パッド状に形成され、上記芳香物の平面部には、上記使い捨てカイロ本体に固定する貼着部が設けられていることを特徴とする請求項１記載の使い捨てカイロ。
【請求項３】
上記貼着部は接着テープにより形成されていることを特徴とする請求項  ２記載の使い捨てカイロ。
【請求項４】
使用時に上記カイロ本体と芳香物とを収納する袋が上記外方袋内に収納されていることを特徴とする請求項１記載の使い捨てカイロ。
【請求項５】
上記芳香物は、固化された精油からなり、揮発性芳香物質を含む有機化合物であることを特徴とする請求項１記載の使い捨てカイロ。
【考案の詳細な説明】
【技術分野】
【０００１】
本考案は、使い捨てカイロの改良に関し、特に、使用時に芳香する使い捨てカイロに関する。
【背景技術】
【０００２】
一般に、広く使い捨てカイロが使用されており、このような使い捨てカイロは安価で簡便であることから、現在においては市販されているカイロの主流となっている。
【０００３】
このような使い捨てカイロは、不織布又は紙製の袋の中に、カイロ成分としての鉄粉が封入されており、鉄粉の酸化作用の際に発生する発熱作用を利用するのである。通常、触媒として酸化作用を速める塩、酸素を取り込むための活性炭、鉄の錆を促進するための水、水を保水するためのバーミキュライトが同様にカイロ成分として封入されている。
【０００４】
このような使い捨てカイロは、使用前は真空パックや無酸素包装等により酸素に触れないように密封して包装されており、使用時に開封することによって鉄粉の酸化作用が開始し発熱するように構成されており、冬季等に手軽に身体に身に付けることにより、身体を温めることができる。
【０００５】
ところで、現在、広くアロマテラピーが普及している。このようなアロマテラピーは、花や木などの植物に由来する芳香成分を用いて心身の健康や美容を増進するものであり、様々な香油を室内において加温することにより蒸発させて自然の香りを取り入れ、心理的ストレスを解消したり、心身をリラックスさせるようにしている。
【０００６】
従って、使い捨てカイロに上記のようなアロマテラピー効果を持たせることができれば、身体を加温することによる効果に加えて、ストレスを解消すると共に心身をリラックスさせる効果を得ることができる。
【０００７】
このような観点から出願人は特許関連公報に関する調査を行い、下記の公報を抽出した。当該公報には、使い捨てカイロのカイロ成分が収納される袋に芳香性物質が含浸され、使用時におけるカイロ成分の発熱により芳香性物質が芳香するように構成されている。
【０００８】
しかしながら、カイロ成分として使用される活性炭は、炭素、酸素、水素、カルシウム等からなる多孔質の物質であり、多数の微細な穴に多くの物質を吸着させる性質を有している。
その結果、上記公報掲載の使い捨てカイロにあっては、上記のカイロ成分が収納された袋に芳香性物質を含浸させているため、商品として包装され搬送している際や商品として陳列されている間、芳香性物質が活性炭により吸収されてしまう可能性が高い、という不具合がある。
【特許文献１】実開平２−６５９１０号公報
【考案の開示】
【考案が解決しようとする課題】
【０００９】
本考案はこのような従来からの不具合を解決するためのものであって、その課題は、商品搬送中又は商品陳列中においても芳香性物質がカイロ成分に吸収されてしまうことがなく、使用時に有効に芳香して使用者にアロマテラピー効果を及ぼすことができる使い捨てカイロを提供することにある。
【課題を解決するための手段】
【００１０】
上記課題達成のため、請求項１記載の考案にあっては、使い捨てカイロ本体と、使用時に使い捨てカイロ本体に固定される芳香物とを備えた使い捨てカイロであって、上記使い捨てカイロ本体はカイロ本体収納袋部に収納されると共に上記芳香物は芳香物収納袋部に収納され、上記カイロ本体収納袋及び上記芳香物収納袋部は外方袋に収納されていることを特徴とする。
【００１１】
従って、請求項１記載の考案にあっては、使用時には外方袋からカイロ本体収納袋に収納されたカイロ本体及び、芳香物収納袋に収納された芳香物を取り出し、夫々、袋を開封して、芳香物をカイロ本体と共に使用する。この場合、芳香物はカイロ本体の発熱時に加熱され芳香する。
【００１２】
請求項２記載の考案にあっては、上記使い捨てカイロ本体及び上記芳香物は薄板パッド状に形成され、上記芳香物の平面部には、上記使い捨てカイロ本体に固定する貼着部が設けられていることを特徴とする。
従って、請求項２記載の考案にあっては、使用時には、芳香物を上記貼着部を利用して使い捨てカイロ本体に貼着固定して使用する。
【００１３】
請求項３記載の考案にあっては、上記貼着部は接着テープにより形成されていることを特徴とする。従って、請求項３記載の考案にあっては、使用時には、芳香物を上記接着テープを利用して使い捨てカイロ本体の平面部に貼着固定して使用する。
【００１４】
請求項４記載の考案にあっては、使用時に上記カイロ本体と芳香物とを収納する袋が上記外方袋内に収納されていることを特徴とする。
従って、請求項４記載の考案にあっては、使用時には、上記袋を上記外方袋から取り出し、カイロ本体及び芳香物を入れて使用する。
【００１５】
請求項５記載の考案にあっては、上記芳香物は、固化された精油からなり、揮発性芳香物質を含む有機化合物であることを特徴とする。上記精油とは、いわゆるエッセンシャルオイルである。
【考案の効果】
【００１６】
請求項１〜５記載の考案にあっては、上記使い捨てカイロ本体はカイロ本体収納袋部に収納されると共に上記芳香物は芳香物収納袋部に収納され、上記カイロ本体収納袋及び上記芳香物収納袋部は外方袋に収納されており、従来のように、使い捨てカイロのカイロ成分が収納される袋に芳香性物質が含浸されているものではないことから、上記のカイロ成分が収納された袋に含浸された芳香性物質が商品搬送中や、商品陳列中に活性炭により吸収されてしまう、という不具合を回避することができる。
その結果、使用時に有効に芳香して使用者にアロマテラピー効果を及ぼすことができる使い捨てカイロを提供することができる。
【００１７】
請求項２記載の考案にあっては、上記使い捨てカイロ本体及び上記芳香物は薄板パッド状に形成され、上記芳香物の平面部には、上記使い捨てカイロ本体に固定する貼着部が設けられ、使用時には、芳香物を上記貼着部を利用して使い捨てカイロ本体に貼着固定して使用するように構成されていることから、カイロ本体に芳香物を平面的に固定して使用することができる。
その結果、請求項１記載の考案の効果に加えて、下着等の上から固定して日常的に使用しやすい使い捨てカイロを提供することができる。
【００１８】
請求項３記載の考案にあっては、上記貼着部は接着テープにより形成され、使用時には、芳香物を上記接着テープを利用して使い捨てカイロ本体の平面部に貼着固定して使用するように構成されていることから、請求項１記載の考案の効果に加えて、使用時に容易かつ迅速に芳香物をカイロ本体に固定して使用することができる。
【００１９】
請求項４記載の考案にあっては、使用時に上記カイロ本体と芳香物とを収納する袋が上記外方袋内に収納されており、使用時には上記袋を上記外方袋から取り出し、カイロ本体及び芳香物を入れて使用するように構成されていることから、服のポケット等に入れて使用することができる使い捨てカイロを提供することができる。
【００２０】
請求項５記載の考案にあっては、上記芳香物は、固化された精油からなり、揮発性芳香物質を含む有機化合物であることを特徴とする。上記精油とは、いわゆるエッセンシャルオイルである。
【図面の簡単な説明】
【００２１】
【図１】本考案に係る使い捨てカイロの一実施の形態を示す斜視図であって、カイロ本体部と芳香部とが商品袋としての外方袋に分離して収納されている状態を示す斜視図である。
【図２】本考案に係る使い捨てカイロの一実施の形態を示す斜視図であって、カイロ本体と芳香物を商品袋としての外袋から取り出し、芳香物をカイロ本体へ貼着部により固定した使用状態を示す斜視図である。
【図３】本考案に係る使い捨てカイロの一実施の形態を示す斜視図であって、カイロ本体部と芳香部とを商品袋としての外方袋から取り出し、外方袋内に準備された他の袋へ収納して使用する状態を示す斜視図である。
【考案を実施するための最良の形態】
【００２２】
以下、添付図面に示す実施の形態に基づき、本考案を詳細に説明する。
図１に示すように、本実施の形態に係る使い捨てカイロ１０は、使い捨てカイロ本体１１と、使用時に使い捨てカイロ本体１１に固定される芳香物１２とを備えている。
【００２３】
上記使い捨てカイロ本体１１はカイロ本体収納袋部１３に収納されると共に上記芳香物１２は芳香物収納袋部１４に収納され、上記カイロ本体収納袋１３及び上記芳香物収納袋部１４は無酸素包装袋からなり、密閉されて形成された外方袋１５に収納されている。
【００２４】
本実施の形態にあっては、上記カイロ本体１１は鉄粉のほか、触媒として酸化作用を速める塩、酸素を取り込むための活性炭、鉄の錆を促進するための水、水を保水するためのバーミキュライトが同様にカイロ成分として封入されている。上記芳香物１２は、固化された精油からなり、揮発性芳香物質を含む有機化合物である。
上記外方袋１５は合成樹脂製であって、全体縦長長方形状に形成され、上部にはカイロ本体収納部１３が形成されると共に、カイロ本体収納部１３の下方には、幅方向に沿って設けられた分離帯部１７を間において、カイロ本体収納部１３とは気密的に分離された芳香物収納部１４が設けられている。
【００２５】
従って、芳香物１２とカイロ本体１１とは上記分離帯部１７により気密的に分離されて外方袋１５内において収納されていることから、外方袋１５内に包装された状態で、芳香物１２の揮発性芳香物質がカイロ本体１１を構成する活性炭に吸収されてしまうという事態を防止することができる。
【００２６】
また、上記使い捨てカイロ本体１１及び上記芳香物１２は、いずれも全体略平面長方形状の薄板パッド状に形成され、上記芳香物１２の平面部には、上記使い捨てカイロ本体に固定する貼着部１６、１６が設けられている。
【００２７】
本実施の形態にあっては、上記貼着部１６、１６は接着テープにより形成され、貼着部１６、１６は芳香物１２の長さ方向に沿って、互いに所定の間隔をおいて一対に設けられている。上記接着テープは、接着テープ本体１６ａと、接着テープ本体１６ａの接着面を被覆し、使用時には剥がすことができる表皮部材１６ｂとにより構成されている。
【００２８】
従って、本実施の形態に係る使い捨てカイロ１０を使用する場合には、図２に示すように、カイロ本体１１を外方袋１５のカイロ本体収納袋部１３から取り出すと共に、芳香物１２を芳香物収納袋部１４から取り出し、芳香物１２の
上記貼着部１６、１６を構成する接着テープよりカイロ本体１１の平面部２１に貼り付けることにより固定する。この状態で、例えば、カイロ本体１１の一方側面部に形成された貼着部２２を、例えば、下着に貼り付けて固定して使用するものである。
【００２９】
この場合、上記無酸素包装袋からなる外方袋１５を開封することによって、カイロ成分としての鉄粉の酸化作用が開始して発熱し、身体の適宜部位を加温するが、本実施の形態に係る使い捨てカイロ１０にあっては、同時に、芳香物１２を加熱することから、固化された精油からなり、揮発性芳香物質を含む有機化合物としてのエッセンシャルオイルが揮発する。
【００３０】
その結果、使用者はカイロ成分により身体を加温されると同時に、揮発するエッセンシャルオイルの芳香成分を鼻腔を介して吸収する。この芳香成分は嗅覚刺激として大脳辺縁系に至り、間脳視床下部において自律神経系に作用して副交換神経系を励起させて使用者をリラックス状態に導く。
【００３１】
従って、本実施の形態に係る使い捨てカイロにあっては、使い捨てカイロ１０を使用することにより、手軽に簡易なアロマテラピーを行うことができるため、カイロ本来の加温効果に加えてアロマテラピー効果を得ることができ、日常生活を送る中で深いリラックス効果を得るこができ、その結果、精神的、肉体的ストレスを手軽に解消することができる。
【００３２】
また、図３に示す実施の形態にあっては、上記外方袋１５のカイロ本体収納部１３内にはカイロ本体収納袋１８がカイロ本体１１と共に、折りたたまれて収納されており、使い捨てカイロ１０の使用時には、カイロ本体収納袋１８内にカイロ本体１１及び芳香物１２を収納して使用することができるように構成されている。
【００３３】
従って、本実施の形態に係る使い捨てカイロ２０にあっては、カイロ本体１１と芳香物１２とを、上記外方袋１５内に収納されたカイロ本体収納袋１８内に収納して上記カイロ本体収納袋１８を例えば、ポケット内に保持することによっても使用することができる。
この実施の形態において使用されるカイロ本体収納袋１８は、カイロ本体１１の発熱にも耐えうる素材、例えば、布製であって、加熱された際に芳香物１２の芳香成分が外方へ流出しうるように、複数の孔部１９が開設されている。
【００３４】
従って、本実施の形態の使い捨てカイロ２０にあっても、上記第一の実施の形態の場合と同様に、カイロ本来の加温効果に加えてアロマテラピー効果を得ることができ、日常生活を送る中で手軽にリラックス効果を得ることができる。
なお、本考案に係る使い捨てカイロの具体的構造に関しては、上記実施の形態には限定されない。
【産業上の利用可能性】
【００３５】
本考案は、広く使い捨てカイロに適用することができるため、産業上の利用可能性を有している。
【符号の説明】
【００３６】
１０  使い捨てカイロ
１１  カイロ本体
１２  芳香物
１３  カイロ本体収納袋部
１４  芳香物収納袋部
１５  外方袋
１６  貼着部
１６ａ  接着テープ本体
１６ｂ  表皮部材
１７  分離帯部
１８  カイロ本体収納袋
１９  孔部
２０  使い捨てカイロ  
２１  平面部
２２  貼着部
【図１】
0003175240.tif 000003
【図２】
0003175240.tif 000004
【図３】
0003175240.tif 000005